(57)【要約】【課題】昇降開閉が容易で折畳んで庇として使用できるようにしたパネルシャッターを提供する。【解決手段】上枠１に長手方向複数のコイルスプリング２０を介して固定上框９を吊支持し，この上框９と左右ガイドレール４を上下に昇降する可動下框１０間に偶数枚の横長パネル１１を蛇腹状折り畳み自在に連結し，ガイドレール４上端の脱出口７から庇を形成するように横長パネル１１を正面側に折り畳み脱出し，上記スプリング２０が上昇開成時に横長パネルの連結部分に反力を付与してその脱出をスムーズになし得るようにし，また山折りの連結部分を挟んで上下に隣接する横長パネル１１間に垂直のコイルスプリング２７を介設することによって降下閉成時に横長パネル１１の直立保持によるロックをなし得るようにする。【選択図】        図９
2004332396.tif 000002
【特許請求の範囲】
【請求項１】
上枠に固定した固定上框と左右対向のガイドレールの案内によって上下に昇降する可動下框の間に蛇腹状折畳み自在に配置した偶数枚の横長パネルを上記ガイドレール上方の脱出口位置で正面又は背面の室内外一方に向けて順次蛇腹状に脱出して折り畳むことによって昇降開閉自在としたパネルシャッターであって，上記固定上框の上枠に対する固定をこれらの長手方向複数箇所に介設し降下閉成時に上昇開成方向に付勢するスプリングによる上下方向揺動自在の吊支持固定とし且つこれら上枠及び固定上框間に該固定上框の上下限位置を規制するストッパーを配置してなることを特徴とする折り畳みパネルシャッター。
【請求項２】
上記上枠を側壁内側に上下に離隔一対にしてその全長に亘る定位置突部を有する下向き開口の収容溝を備えて形成し，上記固定上框を該収容溝の天壁内側に上記スプリングを介して該収容溝内に吊支持固定するとともに上方に突設し上記定位置突部間でこれらに対接自在にしてその全長に亘る昇降突部を備えて形成し，これら定位置突部と昇降突部によって上記ストッパーを形成してなることを特徴とする請求項１に記載の折畳みパネルシャッター。
【請求項３】
上記定位置突部と昇降突部との対接をこれらの間に介設した弾性部材を介して行なってなることを特徴とする請求項２に記載の折畳みパネルシャッター。
【請求項４】
上記蛇腹状折り畳みによって対向する隣接横長パネル間に降下閉成時に折畳み方向に付勢するスプリングを介設してなることを特徴とする請求項１，２又は３に記載の折畳みパネルシャッター。
【請求項５】
上記可動下框にその長手方向中央位置の回転操作によって長手方向両側に突没自在としたロッドを設置するとともにガイドレールの中間及び下端における折畳み開閉の可動框対応位置に該ロッドの受孔を配置してなることを特徴とする請求項１，２，３又は４に記載の折畳みパネルシャッター。
【発明の詳細な説明】
【０００１】
【発明の属する技術分野】
本発明は建築物の開口部に設置するシャッターに関し，特にパネルを折畳み自在とした折畳みパネルシャッターに関する。
【０００２】
【従来の技術】
この種パネルシャッターとして，例えば本発明者の下記特許文献１のものが知られている。これによれば，ガイドレールを垂直部から湾曲部を介して懸垂部に至るＬ字状に形成し，該ガイドレールに蛇腹状折畳み自在に配置した多数枚の横長パネルを案内するとともに懸垂部に形成した脱出口から順次蛇腹状に脱出して折り畳むことによって垂直部の直立閉成状態と懸垂部の該蛇腹状折畳み吊収納状態との間で横長パネルを昇降開閉するものとされ，これによって，例えば多数の横長パネルをそのままオーバーヘッドドア状に収納するものに較べて比較的コンパクトな収納をなし得るようにしたものとされる。
【０００３】
【特許文献１】
特開平７−２０８０３９号（［００１７］，図１及び図２参照）
【０００４】
【発明が解決しようとする課題】
この場合横長パネルは，ガイドレールの懸垂部を背面側に配置したときは天井裏に収納することが可能となり，正面側に配置してシャッターケースを備えたものとするときはこれに収納するとともに該シャッターケースを庇として使用することも可能となるが，横長パネルがガイドレールの湾曲部を通過する必要と上記天井裏乃至シャッターケースに吊収納する必要から，該横長パネルの高さに制約を受け易い傾向があり，また湾曲部の通過と懸垂部への吊収納をスムーズにするための送り装置が一般に必要であることによってその機構が複雑化する傾向がある。更に上記庇機能を付与することが可能であるが，この場合ガイドレールをシャッターケースで被覆することが不可欠であるため，シャッターケース分のコストがアップするとともに現場毎にその煩雑な取付作業を行なう必要が生じる。
【０００５】
本発明はこのような事情に鑑みてなされたもので，その解決課題とするところは，可及的簡易な構造によって横長パネルの昇降開閉及びその収納を可及的容易且つ確実になし得るようにし且つその収納を室内外一方に張出突出するようにガイドレール交差方向に行なうことによって横長パネルの収納部を不要とするとともに必要に応じて収納状態の横長パネルをそのまま庇として使用し得るようにした折り畳みパネルシャッターを提供するにある。
【０００６】
【課題を解決するための手段】
上記課題に添って本発明は，上枠に固定した固定上框と左右対向のガイドレールに案内して上下に昇降する可動下框間に偶数枚の横長パネルを配置するとともに該横長パネルをガイドレール上方の脱出口位置で室内外一方に向けて蛇腹状に折り畳むことによって該横長パネルを昇降開閉するようにシャッターを構成する一方，このとき横長パネルの昇降，特に上昇に際して横長パネルの重量が嵩むためにその開閉動作が重くなる傾向を招くこと及び該横長パネルが上向きの上昇力を受けて直進しようとすることによって上記脱出口における蛇腹状の折り畳みが阻害されて昇降開閉のスムーズさが損なわれる傾向を招くことから，これを解消するように，上記上枠とこれに固定した固定上框との間に長手方向複数箇所に降下閉成時に上昇開成方向に付勢するスプリングを介設することによって固定上框の固定を上下方向揺動自在の吊支持固定とするとともにその揺動範囲を規制して，降下閉成時に付勢したスプリングの上昇開成方向に向けた付勢力によって開成動作を軽量化するとともに該スプリングによって上昇開成方向に直進する横長パネルに対して衝撃とこれによる反力を作用させて該横長パネルの屈曲を誘導して上記脱出口の脱出とこれによる順次の蛇腹状折り畳みをスムーズとするように促進して横長パネルの昇降開閉と収納を容易且つ確実になし得るようにしたものであって，即ち請求項１に記載の発明を，上枠に固定した固定上框と左右対向のガイドレールの案内によって上下に昇降する可動下框の間に蛇腹状折畳み自在に配置した偶数枚の横長パネルを上記ガイドレール上方の脱出口位置で正面又は背面の室内外一方に向けて順次蛇腹状に脱出して折り畳むことによって昇降開閉自在としたパネルシャッターであって，上記固定上框の上枠に対する固定をこれらの長手方向複数箇所に介設し降下閉成時に上昇開成方向に付勢するスプリングによる上下方向揺動自在の吊支持固定とし且つこれら上枠及び固定上框間に該固定上框の上下限位置を規制するストッパーを配置してなることを特徴とする折り畳みパネルシャッターとしたものである。
【０００７】
請求項２に記載の発明は，上記に加えて，上下に揺動する固定上框を上枠に収まるように収容自在とすることによって固定上框の安定且つ外観良好な吊支持固定を行なうとともに上記ストッパーを上枠と固定上框の長手方向全長に亘るとともに可及的簡易な構造によって構成することによって上枠に対する固定上框における揺動範囲の上下限位置の規制を安定且つ確実になし得るものとし且つ横長パネルの降下閉成時に上枠と固定上框間に空隙が発生するのを可及的に防止しその気密性を可及的簡易に確保し得るものとするように，これを，上記上枠を側壁内側に上下に離隔一対にしてその全長に亘る定位置突部を有する下向き開口の収容溝を備えて形成し，上記固定上框を該収容溝の天壁内側に上記スプリングを介して該収容溝内に吊支持固定するとともに上方に突設し上記定位置突部間でこれらに対接自在にしてその全長に亘る昇降突部を備えて形成し，これら定位置突部と昇降突部によって上記ストッパーを形成してなることを特徴とする請求項１に記載の折畳みパネルシャッターとしたものである。
【０００８】
請求項３に記載の発明は，同じく上記に加えて，降下閉成時に上枠と固定上框間の気密性を向上するとともに横長パネルの昇降開閉に際して固定上框の上記衝撃による騒音を防止し得るように，これを，上記定位置突部と昇降突部との対接をこれらの間に介設した弾性部材を介して行なってなることを特徴とする請求項２に記載の折畳みパネルシャッターとしたものである。
【０００９】
請求項４に記載の発明は，同じく上記に加えて，横長パネルの開成動作を更に軽量化するとともに横長パネルの屈曲とこれによる蛇腹状折り畳みを更に促進し横長パネルの上昇開成を更に軽量化し得るものとするように，これを，上記蛇腹状折り畳みによって対向する隣接横長パネル間に降下閉成時に折畳み方向に付勢するスプリングを介設してなることを特徴とする請求項１，２又は３に記載の折畳みパネルシャッターとしたものである。
【００１０】
請求項５に記載の発明は，同じく上記に加えて，上記上枠と固定上框間に介設したスプリングによって横長パネルの降下閉成時に上昇開成方向の付勢力が働いて降下閉成状態で下框が床面から浮き上がるのを防止するとともに簡易且つ確実な施錠をなし得るものとするように，上記可動下框にその長手方向中央位置の回転操作によって長手方向両側に突没自在としたロッドを設置するとともにガイドレールの中間及び下端における折畳み開閉の可動框対応位置に該ロッドの受孔を配置してなることを特徴とする請求項１，２，３又は４に記載の折畳みパネルシャッターとしたものである。
【００１１】
本発明はこれらをそれぞれ発明の要旨として上記課題解決の手段としたものである。
【００１２】
【発明の実施の形態】
以下図面の例に従って本発明を更に具体的に説明すれば，Ａはパネルシャッターであり，該パネルシャッターＡは，上枠１に固定した固定上框９と左右対向のガイドレール４の案内によって上下に昇降する可動下框１０の間に蛇腹状折畳み自在に配置した偶数枚の横長パネル１１を上記ガイドレール４上方の脱出口７位置で正面又は背面の室内外一方に向けて順次蛇腹状に脱出して折り畳むことによって昇降開閉自在とした折り畳みパネルシャッターとしてある。
【００１３】
即ち本例にあって横長パネル１１は，同一の幅と高さのものを４枚，６枚等のように偶数の多数枚使用し，最上位の横長パネル１１上端及び最下位の横長パネル１１下端を固定上框９及び可動下框１０に回動自在に連結するとともにその余の横長パネル１１端部を相互に回動自在に連結することによって，固定上框９及び可動下框１０を左右対向のガイドレール４に保持した状態で，これらを定位置の折り畳み基準として，例えば室外側に向けて蛇腹状に折り畳み，折り畳み状態で開口部上方に庇を形成するようにしてあり，上記回動自在の連結は，それぞれ連結部分又はこれに設置した連結枠１７の一方に長手方向全長の軸を一体に配置し，他方に同じく長手方向全長にして外周方向に１／４円程度の開口を有する軸受を一体に配置し，これら軸と軸受を嵌合することによって開口角度に応じて１／４円程度の回動をなし得るように構成した，例えばアルミ製のヒンジ１８を用いて行なってあり，このとき上記固定上框９及び可動下框１０と横長パネル１１の連結部分及びこれから１つ置きの奇数番目に位置する連結部分を室外側に向けて谷折りとし，その余の偶数番目の連結部分を同じく室外側に向けて山折りとするようにヒンジ１８の回動方向を交互に逆とするようにその連結を行って上記蛇腹状の折り畳みを可能とするようにしてある。
【００１４】
本例にあって左右対向のガイドレール４は，それぞれ直進用レール５と脱出用レール６を室内外方向に平行且つ垂直に備え，該脱出用レール６の上方を，例えば横長パネル１１の略高さ分の長さに切り欠くことによって上記脱出口７を形成してあり，上記固定上框９，可動下框１０の長手方向両端部及び上記奇数番目に位置する谷折りの連結部分とした横長パネル１１の上下一方にして長手方向両端部に設置した常時係合用のローラー１４を上記直進用レール５に，その余の上記偶数番目に位置する山折りの連結部分乃至その近傍に設置した脱出用のローラー１５を上記脱出用レール６にそれぞれ転動自在に係合して保持するようにし，左右対向のガイドレール４による上下昇降の案内を行なうとともに脱出口７から脱出用のローラー１５を室外側に脱出させることによって該脱出口７位置で蛇腹状折り畳みをなし得るようにしてある。
【００１５】
このとき上記固定上框９の上枠１に対する固定は，これを，これらの長手方向複数箇所に介設し降下閉成時に上昇開成方向に付勢するスプリング２０による上下方向揺動自在の吊支持固定とし且つこれら上枠１及び固定上框９間に該固定上框９の上下限位置を規制するストッパー２１を配置したものとしてある。
【００１６】
本例にあって上記上枠１は，これを側壁内側に上下に離隔一対にしてその全長に亘る定位置突部２２，２３を有する下向き開口の収容溝２を備えて形成し，上記固定上框９を該収容溝２の天壁内側に上記スプリング２０を介して該収容溝２内に吊支持固定するとともに上方に突設し上記定位置突部２２，２３間でこれらに対接自在にしてその全長に亘る昇降突部２４を備えて形成し，これら定位置突部２２，２３と昇降突部２４によって上記ストッパー２１を形成したものとしてあり，本例にあっては更に上記定位置突部２２，２３と昇降突部２４との対接をこれらの間に介設した弾性部材２５を介して行なったものとしてある。
【００１７】
即ち本例の上枠１は室内外に対向する側壁と収容溝２を画する天壁とによって断面コ字状をなすとともに，本例にあってはその室外側の側壁に室内側に向けて上下中間位置の上位定位置突部２２と下端位置の下位定位置突部２３とを突設し，該下位定位置突部２３と室外側側壁下端に設置した気密材受用の突部３との間に固定上框９の奥行に応じた幅の下向き開口の収容溝２を備えたものとしてあり，また本例の固定上框９は上記上下位の定位置突部２２，２３間の間隔より幾分高い高さの中空のものとするとともにその上端に室外側に向けて固定上框９側にあってその框突部をなす上記昇降突部２４を突設したものとし，上記上枠１の天壁にスプリング２０を下向きに設置し該スプリング２０を介してその収容溝２内に固定上框９を揺動自在に吊支持固定してあり，このとき固定上框９の上記昇降突部２４は，これを上枠１の上下位定位置突部２２，２３間を往復動するように配置し，固定上框９の上記揺動によって上下位定位置突部２２，２３に対接することにより，これらが固定上框９揺動の上下限位置を規制するストッパー２１をなすようにしてある。
【００１８】
上下位定位置突部２２，２３及び昇降突部２４はそれぞれ上枠１及び固定上框９の長手方向全長に一体に形成してあり，これによってストッパー２１をこれらの全長に一連且つ一体に配置するとともに，本例にあって該上下位の定位置突部２２，２３と昇降突部２４の長手方向全長に上記弾性部材２５を装着してあり，これによって固定上框９の揺動範囲の規制を確実且つ消音状態で行い，また降下閉成時にこれら上枠１と固定上框９間を封止して上枠１位置の良好な気密性を確保し得るようにしてある。
【００１９】
本例の上枠１と固定上框９間に介設したスプリング２０は，長手方向に，例えば所定間隔に離隔して３個所程度介設した引張用コイルスプリングによるものとしてあり，該スプリング２０により固定上框９を上枠１に吊支持固定してその固定を行うことによって，降下閉成時にスプリング２０を伸張して上昇開成方向に付勢力を蓄積し得るようにするとともに固定上框９を該スプリング２０の伸張圧縮の幅に応じて，例えば数ｃｍ程度上下方向に揺動自在とするようにしてあり，これにより上昇開成時に蓄積した付勢力によって横長パネル１１の荷重を相殺してその上昇開成動作を軽量化し，また上昇開成時には上記連結部分に反力を作用させることによって脱出用のローラー１５を上記脱出口７から室外側に向けて脱出を促進するように作用してスムーズな蛇腹状折り畳みをなし得るようにしてある。
【００２０】
一方２７は，上記蛇腹状折り畳みによって対向する隣接横長パネル１１間に介設した降下閉成時に折畳み方向に付勢するスプリングであり，本例にあって該スプリング２７は横長パネル１１における上記山折りの連結部分を挟むようにその隣接する横長パネル１１間に配置し，山折りの連結を行った上位の横長パネル１１の下方連結部分近傍位置と下位の横長パネル１１の下方位置間に介設した，同じく引張用のコイルスプリングによるものとしてあり，このとき該スプリング２７の介設は横長パネル１１の端部から側方に引掛固定用の突起２６を突設し，該突起２６にスプリング２７の両端を引掛固定してその介設を行ない，これによって降下閉成状態でスプリング２７がそれぞれ横長パネル１１に平行にして垂直状態に伸張し，隣接する横長パネル１１を垂直の直立状態に保持して山折りの連結部分の回動と揺動の防止による該連結部分の振れ止めを行い，谷折りの連結部分乃至その近傍の直進用のローラー１４が直進用レール５に保持されてその回動と揺動が防止されることと相俟って降下閉成状態の横長パネル１１をロック状に直立して振れのない安定した保持を行なうように作用する一方，上昇開成に際して該直立状態の保持を解除しその蓄積した付勢力によって該隣接する横長パネル１１を相互に引寄せるように圧縮することによって該上昇開成動作を軽量化し得るようにしてある。
【００２１】
また３１は，上記可動下框１０に設置した該可動下框１０の長手方向中央位置の回転操作によって長手方向両側に突没自在としたロッドであり，３４は，ガイドレール４の中間及び下端における折畳み開閉の可動下框１０の対応位置に設置した該ロッド３１の受孔であり，これらロッド３１と受孔３４とによって可動下框１０をガイドレール４に固定するロック装置３０を形成し，横長パネル１１の降下閉成状態で可動下框１０をガイドレール４にロックしてその振れ止めと施錠をなし得るようにしてあり，このとき上記山折りの連結部分を挟むスプリング２７によって横長パネル１１はロック状に直立した状態に保持されるから，該ロッド３１と受孔３４とによるロックはその施錠状態を高度とするときに必要に応じてこれを用いるようにすればよい。
【００２２】
図中８は上記弾性部材２５とともにパネルシャッターＡの気密性を高度に確保するようにガイドレール４に設置した気密材，１２は横長パネル１１のパネル框，１３は本例の横長パネル１１に用いたガラス，１６は横長パネル１１にローラー１４，１５を設置するに用いたローラーブラケット，３２はロッド３１回転操作用の摘み，３３は該摘み３２によってロッド３１を突没するように摘みに一体的に設けてロッド３１先端を固定した突没用回転板，３５は上記ロック用の受孔３４を設置するためにガイドレール４の下端に固定したブロック，３６は横長パネル１１の上昇開成状態でロッドを受けるように設置した可動下框１０落下防止用の受孔，３７は同じくガイドレール４上方に固定して受孔３６設置用のブロックをそれぞれ示す。
【００２３】
図示した例は以上のとおりとしたが，本発明の実施に当って上枠，固定上框，可動下框，ガイドレール，上枠と固定上框間のスプリング，ストッパー，必要に応じて用いる定位置突部，昇降突部，弾性部材，隣接横長パネル間のスプリング，ロッド，ガイドレールの受孔等の具体的構造，形状，材質，これらの関係，これらに対する付加等は，上記発明の要旨に反しない限り様々の形態とすることができる。
【００２４】
【発明の効果】
本発明は以上のとおりに構成したから，請求項１に記載の発明は，上枠に固定した固定上框と左右対向のガイドレールに案内して上下に昇降する可動下框間に偶数枚の横長パネルを配置するとともに該横長パネルをガイドレール上方の脱出口位置で室内外一方のガイドレール交差方向に向けて蛇腹状に折り畳むことによって該横長パネルを昇降開閉する一方，上記上枠とこれに固定した固定上框との間に長手方向複数箇所に降下閉成時に上昇開成方向に付勢するスプリングを介設することによって固定上框の固定を上下方向揺動自在の吊支持固定とするとともにその揺動範囲を規制して，降下閉成時に付勢したスプリングの上昇開成方向に向けた付勢力によって開成動作を軽量化し，該スプリングによって上昇開成方向に直進する横長パネルに対して衝撃とこれによる反力を作用させて該横長パネルの屈曲を誘導して上記脱出口の脱出とこれによる順次の蛇腹状折り畳みをスムーズとし横長パネルの昇降開閉と収納を容易且つ確実になし得るようにし，横長パネルの収納部を不要とするとともに必要に応じて収納状態の横長パネルをそのまま庇として使用し得るようにした折り畳みパネルシャッターを提供することができる。
【００２５】
請求項２に記載の発明は，上記に加えて，上下に揺動する固定上框を上枠に収まるように収容自在とすることによって固定上框の安定且つ外観良好な吊支持固定を行なうとともに上記ストッパーを上枠と固定上框の長手方向全長に亘るとともに可及的簡易な構造によって構成することによって上枠に対する固定上框における揺動範囲の上下限位置の規制を安定且つ確実になし得るものとし且つ横長パネルの降下閉成時に上枠と固定上框間に空隙が発生するのを可及的に防止しその気密性を可及的簡易に確保し得るものとすることができる。
【００２６】
請求項３に記載の発明は，同じく上記に加えて，降下閉成時に上枠と固定上框間の気密性を向上するとともに横長パネルの昇降開閉に際して固定上框の上記衝撃による騒音を防止することができる。
【００２７】
請求項４に記載の発明は，同じく上記に加えて，横長パネルの開成動作を更に軽量化するとともに横長パネルの屈曲とこれによる蛇腹状折り畳みを更に促進し横長パネルの上昇開成を更に軽量化することができる。
【００２８】
請求項５に記載の発明は，同じく上記に加えて，上記上枠と固定上框間に介設したスプリングによって横長パネルの降下閉成時に上昇開成方向の付勢力が働いて降下閉成状態で下框が床面から浮き上がるのを防止するとともに簡易且つ確実な施錠をなし得るものとすることができる。
【図面の簡単な説明】
【図１】パネルシャッターの背面図である。
【図２】パネルシャッターの閉成状態を示す縦断面図である。
【図３】パネルシャッターの開成途中の状態を示す縦断面図である。
【図４】パネルシャッターの同じく開成途中の状態を示す縦断面図である。
【図５】パネルシャッターの開成状態を示す縦断面図である。
【図６】ガイドレールと横長パネル端部の関係を示す横断面図である。
【図７】パネルシャッター閉成状態の拡大縦断面図である。
【図８】パネルシャッター開成直前状態の上部構造を示す部分拡大縦断面図である。
【図９】パネルシャッター閉成状態の構造を示す端部近傍の縦断面図である。
【図１０】ロック装置の開錠状態を示す可動下框の部分拡大背面図である。
【符号の説明】
Ａ  パネルシャッター
１  上枠
２  収容溝
４  ガイドレール
９  固定上框
１０  可動下框
１１  横長パネル
２０  スプリング
２１  ストッパー
２２  上位定位置突部
２３  下位定位置突部
２７  スプリング
【図１】
2004332396.tif 000003
【図２】
2004332396.tif 000004
【図３】
2004332396.tif 000005
【図４】
2004332396.tif 000006
【図５】
2004332396.tif 000007
【図６】
2004332396.tif 000008
【図７】
2004332396.tif 000009
【図８】
2004332396.tif 000010
【図９】
2004332396.tif 000011
【図１０】
2004332396.tif 000012